(57)【特許請求の範囲】
【請求項１】
境界材保持用の係合部を有する支持部材と、該支持部材の係合部に係合する長尺状の境界材とからなり、前記係合部及び境界材は、両者の係合高さが調節可能に形成されていることを特徴とする地面用境界資材。
【請求項２】
前記係合部及び境界材は、両者の凹凸形状により互いに噛み合って係合することを特徴とする請求項１記載の地面用境界資材。
【請求項３】
前記境界材は、長手方向端部に、隣接する境界材同士を連結する連結部を備えていることを特徴とする請求項１記載の地面用境界資材。
【請求項４】
仕切るべき地面の線に沿って所定深さの溝を掘り、該溝の底部に支持部材を所定間隔で設置するとともに、該支持部材に設けた境界材保持用の係合部に、境界材に設けた係合片を係合させて位置合わせをした後、境界材上部が所定量露出するようにして前記溝を埋め戻すことを特徴とする地面用境界資材の設置方法。
【発明の詳細な説明】
【０００１】
【発明の属する技術分野】
本発明は、地面用境界資材及びその設置方法に関し、詳しくは、材質や植裁、性質の異なる地面の境界を区画するために使用する境界資材に関するものであって、特に、施工時の作業の簡便化が図れる地面用境界資材に関するものである。
【０００２】
【従来の技術】
従来、材質や植裁等が異なる地面を区画する際には、木板や樹脂製の波板等を適当に使用しており、地面用境界資材として専用に用意されたものはなかった。また、海外においては、帯状の樹脂製境界材が用いられているが、これらは、境界材にアンカー部材を貫入させ、これを地面に斜めに打込んで施工するようにしている。
【０００３】
【発明が解決しようとする課題】
地面を区画する場合、予め設定された境界線に従って土砂等の施工を行うため、境界を示す境界材は、それ自身がしっかりと自立し、明確に境界線を示すことができる必要がある。しかし、木板や波板の場合、境界材自体を自立させることが困難であり、境界材を土に深く刺したり、土を盛って固定したり、木杭等で固定したりするなどの煩雑な作業が必要であった。
【０００４】
また、海外品のように斜めにアンカー部材を打込むものでは、境界材を地面に固定することはできるが、しっかりと自立させることができないため、境界を明示することはできなかった。さらに、境界材本体に貫入孔をあけるため、製品を傷付けるという問題もある。
【０００５】
上述のように境界を明示できない状態で土砂等を施工した場合、仕上がり時の境界線が曲がったり、仕上がり面の高さが不揃いになるなどの問題が発生し、これを修正するために大変な手間がかかることも少なくない。また、斜めにアンカー部材を打込むものでは、一旦アンカー部材を抜き取ってから再度打込まなければならず、大変な手間がかかるとともに、境界材に別の貫入孔を形成するため、製品を著しく傷付けてしまう。
【０００６】
そこで本発明は、境界材を確実に自立させて境界を明確に示すことができるとともに、境界材の高さ方向の修正も行うことができ、施工も簡便な地面用境界資材及びその設置方法を提供することを目的としている。
【０００７】
【課題を解決するための手段】
上記目的を達成するため、本発明の地面用境界資材は、境界材保持用の係合部を有する支持部材と、該支持部材の係合部に係合する長尺状の境界材とからなり、前記係合部及び境界材は、両者の係合高さが調節可能に形成されていることを特徴としている。
【０００８】
また、前記係合部及び境界材は、両者の凹凸形状により互いに噛み合って係合すること、前記境界材の長手方向端部に、隣接する境界材同士を連結する連結部を備えていることを特徴としている。
【０００９】
さらに、本発明の地面用境界資材の設置方法は、仕切るべき地面の線に沿って所定深さの溝を掘り、該溝の底部に支持部材を所定間隔で設置するとともに、該支持部材に設けた境界材保持用の係合部に、境界材に設けた係合片を係合させて位置合わせをした後、境界材上部が所定量露出するようにして前記溝を埋め戻すことを特徴としている。
【００１０】
【発明の実施の形態】
図１及び図２は、本発明の地面用境界資材の一形態例を示すもので、図１は分解斜視図、図２は断面側面図である。この地面用境界資材は、長尺の境界材１０と、該境界材１０を保持固定するための支持部材２０とからなるものであって、境界材１０は、支持部材２０に設けた係合部２１に係合した状態で所定位置に保持固定される。
【００１１】
境界材１０は、ポリエチレン、ポリプロピレン、ポリ塩化ビニル等の可撓性を有する合成樹脂により形成されており、板状本体部１２の両面には、前記支持部材２０の係合部２１に係合する複数のひれ状の係合片１１が必要に応じて設けられている。また、板状の本体部１１の上端には、境界線を明示するための筒状の表示部１３が設けられている。
【００１２】
支持部材２０は、ポリエチレン、ポリプロピレン、ＡＢＳ等の剛性を有する合成樹脂や鉄等の金属により形成されており、係合部２１は、棒状の本体部２２の一側に設けた鉛直方向のスリット２３の内側に鋸歯状に形成されている。このスリット２３は、境界材１０の係合片１１を弾性変形させながら通過可能で、境界材１０の板状本体部１２を自立状態で保持可能な幅に形成されている。
【００１３】
また、本体部２２の下方には、支持部材２０を地面に打込んで固定するために先端が先鋭形状に形成されたアンカー部２４が設けられるとともに、支持部材２０の地面への打込み量を規制するための鍔部２５が設けられている。
【００１４】
境界材１０の設置は、図３に断面側面図で示すように、地面の所定位置に打込み固定された支持部材２０のスリット２３に境界材１０の下部を上方から挿入し、係合片１１を弾性変形させながらスリット２３内に押込み、係合片１１と係合部２１とを係合させることにより行われる。なお、境界材１０の長さなどの条件によっては、支持部材２０の横方向から境界材１０を差し込んで係合状態とすることもできる。
【００１５】
このように、境界材１０の板状本体部１２を、境界部分に所定間隔で設置した支持部材２０のスリット２３に順次差し込むことにより、境界材１０を自立した状態で保持することができる。さらに、上述のような係合構造を採用することにより、境界材１０の高さ位置の調節を、支持部材２０をそのままにして行うことができる。また、係合片１１は、地中に埋め込んだ境界材１０の上下方向の移動を規制する機能も有している。
【００１６】
なお、支持部材２０による境界材１０の保持固定は、板状本体部１２及びスリット２３の厚さや幅、弾力性を適当に設定すれば、境界材１０に上述のような係合片１１を設けずに、支持部材２０に適宜な凹凸状の係合部２１を設けるのみでも十分な保持固定を行うことが可能である。
【００１７】
また、係合片を設ける場合でも、係合片と係合部との形状は任意であり、例えば、図４に断面図で示すものは、スリット２３を屈曲させてジグザグ形状とすることにより、境界材１０の板状本体部１２を係合させるようにしてもよく、図５の断面図に示すように、スリット２３の片側に上下に連続した凹凸２１ｂを設けるとともに、境界材１０の板状本体部１２の片面に、前記凹凸２１ｂに係合する複数の係合片１１ｂを設けるようにしてもよい。
【００１８】
また、図６の断面図に示すものは、スリット２３の両側に複数の係合溝２１ｃを互い違いに設け、板状本体部１２の両面に、前記係合溝２１ｃに対応した複数の係合片１１ｃを設けたものである。図７に断面図で示すものは、スリット２３の両側に複数の円形係合溝２１ｄを設け、板状本体部１２に、前記円形係合溝２１ｃに対応した複数の円形係合部１１ｄを設けたものである。
【００１９】
図８に断面図で示すものは、スリット２３の両側に上下に連続した凹凸２１ｅを設け、板状本体部１２の中間部両面に、凹凸２１ｅに係合可能な係合片１１ｅを設けたものである。図９に断面図で示すものは、スリット２３の中間部両側に係合凸部２１ｆを設け、板状本体部１２の両面に、係合凸部２１ｆに係合可能な複数の係合片１１ｆを設けたものである。
【００２０】
図１０は、本発明の地面用境界資材の施工方法の一例を示す断面図である。まず、図１０（Ａ）に示すように、仕切るべき地面の線に沿って所定深さの溝３１を掘り、所定数の支持部材２０を所定間隔で溝底部にハンマー等で打込んで固定する。溝３１の深さは、境界材１０の幅寸法に対応させればよく、溝幅は、支持部材２０を打込むのに十分な幅とすればよい。また、支持部材２０は、鍔部２５によってアンカー部２４の打込み量が規制されるため、溝３１内に略同一高さで設置することができる。
【００２１】
次に、図１０（Ｂ）に示すように、支持部材２０のスリット２３に境界材１０を挿入し、係合片１１を係合部２１に係合させる。このとき、境界材１０の強度や幅寸法に応じて支持部材２０を適当な間隔で設置しておくことにより、境界材１０を所定の境界位置に自立させておくことができる。
【００２２】
最後に、図１０（Ｃ）に示すように、溝３１内に土砂３２等を充填し、境界材１０の両側を所定の土砂３２等で埋め戻す。このとき、境界材１０の表示部１３が地表に露出するようにしておく。境界材１０の両側の材質や植裁、性質は任意に選択することができる。
【００２３】
例えば、図１１の断面図に示すように、境界材１０の一側方に芝生３３を施工し、他側方に砂利３４を施工した場合、境界材１０の表示部１３が地表に露出して明確な境界線を形成する。また、芝生３３が境界材１０を超えて砂利３４の部分に侵入することを防止でき、逆に、砂利３４が境界材１０を超えて芝生３３の区画内に侵入することも防止できる。
【００２４】
また、境界材１０に比べて境界線が長い場合は、図１２に分解斜視図で示すように、円筒状に形成した表示部１３に棒状の連結材４１を挿入することにより、隣接する板状本体部１２同士を連結することができる。
【００２５】
このような地面用境界資材は、支持部材２０を垂直に打込むため、斜めにアンカー部材を打込むものに比べて境界部分に形成する溝の幅を狭くすることができ、作業性も良好である。また、支持部材２０に形成したスリット２３で境界材１０を支持することにより、境界材１０を自立状態に保持することができる。
【００２６】
さらに、従来のものは、境界材自体を直接アンカーで固定するため、位置決めや修正が困難であるのに対し、支持部材２０だけを先に施工するので、境界材１０を取り付ける前に支持部材２０の位置決めや修正を行うことができ、別の位置への支持部材２０の移動も簡単に行うことができる。
【００２７】
また、境界材１０と支持部材２０との係合高さを調節可能に形成しておくことにより、表示部１３の露出高さも容易に調節することができる。
【００２８】
【発明の効果】
以上説明したように、本発明によれば、境界材を自立させておくことができ、位置や高さの設定も容易に行えるので、境界材の設置を容易に行うことができる。
【図面の簡単な説明】
【図１】  本発明の地面用境界資材の一形態例を示す分解斜視図である。
【図２】  同じく断面側面図である。
【図３】  支持部材に境界材を設置する状態を示す断面側面図である。
【図４】  境界材と支持部材との係合構造の他の例を示す断面図である。
【図５】  境界材と支持部材との係合構造の他の例を示す断面図である。
【図６】  境界材と支持部材との係合構造の他の例を示す断面図である。
【図７】  境界材と支持部材との係合構造の他の例を示す断面図である。
【図８】  境界材と支持部材との係合構造の他の例を示す断面図である。
【図９】  境界材と支持部材との係合構造の他の例を示す断面図である。
【図１０】  本発明の地面用境界資材の施工方法の一例を示す断面図である。
【図１１】  施工状態の一例を示す断面図である。
【図１２】  境界材の連結例を示す分解斜視図である。
【符号の説明】
１０…境界材、１１…係合片、１２…板状本体部、１３…表示部、２０…支持部材、２１…係合部、２２…本体部、２３…スリット、２４…アンカー部、２５…鍔部、３１…溝、３２…土砂、３３…芝生、３４…砂利、４１…連結材
【図１】
0003741898.tif 000002
【図２】
0003741898.tif 000003
【図３】
0003741898.tif 000004
【図４】
0003741898.tif 000005
【図５】
0003741898.tif 000006
【図６】
0003741898.tif 000007
【図７】
0003741898.tif 000008
【図８】
0003741898.tif 000009
【図９】
0003741898.tif 000010
【図１０】
0003741898.tif 000011
【図１１】
0003741898.tif 000012
【図１２】
0003741898.tif 000013